(57)【要約】【課題】店舗での商品の購入等のようなユーザーによるオフラインでの商品の商品取扱情報をオンラインでの情報と合わせて管理することが可能な顧客情報管理システムを提供する。【解決手段】商品を販売する販売者からの情報に基づいて商品に関連した商品関連サービスを提供すると共にその登録ユーザーのユーザー情報を管理する管理者側サーバー２０と、管理者側サーバー２０からユーザー情報に基づくユーザー識別情報を取得する携帯端末１０と、販売者の店舗５において販売された商品の販売商品情報（商品取扱情報）及び該商品を購入した登録ユーザーの携帯端末１０で取得されたユーザー識別情報の入力を受け付ける店舗側端末３０とを備える。管理者側サーバー２０は、店舗側端末３０から販売商品情報及びユーザー識別情報を取得し、登録ユーザーのユーザー情報に対応付けて販売商品情報を管理する。【選択図】図１
2015148875.tif 000002
【特許請求の範囲】
【請求項１】
利用登録された登録ユーザーに対し、商品を販売する販売者からの情報に基づいて前記商品に関連した商品関連サービスをネットワークを通じて提供すると共に前記登録ユーザーのユーザー情報を管理する管理者側サーバーと、
前記管理者側サーバーから前記ユーザー情報に基づくユーザー識別情報を取得する前記登録ユーザーの携帯端末と、
前記販売者の店舗において登録ユーザーによって取り扱われた商品の商品取扱情報及び該商品を取り扱った前記登録ユーザーの前記携帯端末で取得されたユーザー識別情報の入力を受け付ける店舗側端末とを備え、
前記管理者側サーバーは、前記店舗側端末で入力された商品取扱情報及びユーザー識別情報を取得し、前記ユーザー識別情報に基づいて前記登録ユーザーのユーザー情報に対応付けて前記商品取扱情報を管理する、
ことを特徴とする顧客情報管理システム。
【請求項２】
請求項１記載の顧客情報管理システムであって、
前記管理者側サーバーは、前記登録ユーザーからの要求に応じて該登録ユーザーのユーザー情報に基づくユーザー識別情報を送信する識別情報送信部を備え、
前記携帯端末は、前記要求によって前記管理者側サーバーから送信されたユーザー識別情報を受信して取得する識別情報取得部を備える、
ことを特徴とする顧客情報管理システム。
【請求項３】
請求項１又は２記載の顧客情報管理システムであって、
前記店舗側端末は、前記取り扱われた商品の前記商品取扱情報と共に前記携帯端末で取得されたユーザー識別情報の入力を受け付ける取扱時情報受付部と、前記商品取扱情報及びユーザー識別情報を前記管理者側サーバー側に送信する取扱時情報送信部を備え、
前記管理者側サーバーは、前記店舗側端末から送信された商品取扱情報及びユーザー識別情報を受信して前記ユーザー情報に前記商品取扱情報を対応付けて管理する商品取扱情報管理部を備える、
ことを特徴とする顧客情報管理システム。
【請求項４】
請求項１〜３の何れか一項に記載の顧客情報管理システムであって、
前記店舗側端末は、前記携帯端末に位置情報に基づいて前記登録ユーザーの前記販売者の店舗への来店を検出する来店検出部と、前記検出した来店情報を前記管理者側サーバーに送信する来店情報送信部とを備え、
前記管理者側サーバーは、前記店舗側端末からの来店情報に基づいて前記登録ユーザーの来店履歴を管理する来店情報管理部を備える、
ことを特徴とする顧客情報管理システム。
【請求項５】
請求項１〜４の何れか一項に記載の顧客情報管理システムであって、
前記販売者の店舗の商品に付されて該商品の商品情報を記憶する無線タグと、
前記店舗側端末に備えられ前記無線タグから商品情報を読み取る無線タグリーダーとを備え、
前記店舗側端末の取扱時情報受付部は、前記取扱われた商品の無線タグから前記無線タグリーダーによって読み取られた商品情報を商品取扱情報として入力を受け付ける、
ことを特徴とする顧客情報管理システム。
【請求項６】
請求項１〜５の何れか一項に記載の顧客情報管理システムであって、
前記携帯端末は、前記受信したユーザー識別情報に対応するコードを生成するコード生成部を備え、
前記店舗側端末は、前記携帯端末で生成されたコードを読み取り可能なコードリーダーを備える、
ことを特徴とする顧客情報管理システム。
【請求項７】
請求項１〜６の何れか一項に記載の顧客情報管理システムであって、
前記管理者側サーバーは、前記ユーザー情報に基づいて前記登録ユーザーの嗜好を分析する嗜好分析部を備えた、
ことを特徴とする顧客情報管理システム。
【請求項８】
請求項１〜７の何れか一項に記載の顧客情報管理システムであって、
前記商品関連サービスは、複数の販売者からの情報に基づいて提供される、
ことを特徴とする顧客情報管理システム。
【請求項９】
請求項１〜８の何れか一項に記載の顧客情報管理システムであって、
前記店舗側端末から前記商品取扱情報を取得して管理する販売者側サーバーを備え、
前記管理者側サーバーは、前記販売者が利用可能なユーザー情報を前記販売者側サーバーに送信して提供する情報提供部を備える、
ことを特徴とする顧客情報管理システム。
【請求項１０】
利用登録された登録ユーザーに対し商品を販売する販売者からの情報に基づいて前記商品に関連した商品関連サービスをネットワークを通じて提供する管理者側サーバーによって、前記登録ユーザーのユーザー情報を管理し、
前記登録ユーザーの携帯端末によって、前記管理者側サーバーから前記ユーザー情報に基づくユーザー識別情報を取得し、
前記販売者の店舗の店舗側端末によって、前記店舗において登録ユーザーによって取扱われた商品の商品取扱情報及び該商品を取扱った前記登録ユーザーの前記携帯端末で取得されたユーザー識別情報の入力を受け付け、
前記管理者側サーバーによって、前記店舗側端末で入力された商品取扱情報及びユーザー識別情報を取得し、前記ユーザー識別情報に基づいて前記登録ユーザーのユーザー情報に対応付けて前記商品取扱情報を管理する、
ことを特徴とする顧客情報管理方法。
【発明の詳細な説明】
【技術分野】
【０００１】
本発明は、購入者に対して販売された商品の情報を管理する顧客情報管理システム及び方法に関する。
【背景技術】
【０００２】
近年では、ネットワークの普及に伴い、オンラインショッピング（電子商店街）が一般的に利用されている。オンラインショッピングでは、複数の販売者の商品を、利用登録された登録ユーザーにウェブサイト上で販売可能となっている。このオンラインショッピング等のように、ネットワーク上では、商品を販売する販売者からの情報に基づいて、種々の商品関連サービスが提供されている。
【０００３】
商品関連サービスとしては、オンラインショッピングの他、例えば、非特許文献１のようなものがある。
【０００４】
非特許文献１には、販売者の実際の店舗にて被服（商品）に付されているバーコードを登録ユーザーが所持するスマートフォン等の携帯端末で撮像し、対応する被服をオンラインショッピングの情報を利用して携帯端末上に表示可能とするものが開示されている。
【０００５】
このサービスでは、携帯端末上に複数の被服を表示させて比較したり、或いは複数の被服を組み合わせてコーディネートすること等ができ、その結果から登録ユーザーにオンラインショッピングや店舗での被服の購入を促すことができる。
【０００６】
また、オンラインショッピングを通じて被服を購入した場合は、購入者である登録ユーザーに対し、オンラインで販売された被服の情報を管理することができる。
【０００７】
しかし、登録ユーザーが実店舗に来店して被服を購入した場合は、上記とは別に、店舗を管理する販売者が、独自に会員登録がなされている購入者としての登録ユーザーに対してオフラインで販売された被服の情報を管理する必要がある。
【０００８】
従って、非特許文献１では、実店舗での被服の購入等のような登録ユーザーによるオフラインでの商品の取り扱い情報（商品取扱情報）を、オンラインでの情報と分けて管理する必要があった。
【先行技術文献】
【非特許文献】
【０００９】
【非特許文献１】ｈｔｔｐ：／／ｚｏｚｏ．ｊｐ／ｗｅａｒ／
【発明の概要】
【発明が解決しようとする課題】
【００１０】
本発明が解決しようとする問題点は、店舗での商品の購入等のようなユーザーによるオフラインでの商品取扱情報を、オンラインでの情報と分けて管理する必要があった点である。
【課題を解決するための手段】
【００１１】
本発明は、店舗でのユーザーによるオフラインでの商品取扱情報をオンラインでの情報と合わせて管理するために、利用登録された登録ユーザーに対し商品を販売する販売者からの情報に基づいて前記商品に関連した商品関連サービスをネットワークを通じて提供すると共に前記登録ユーザーのユーザー情報を管理する管理者側サーバーと、前記管理者側サーバーから前記ユーザー情報に基づくユーザー識別情報を取得する前記登録ユーザーの携帯端末と、前記販売者の店舗において登録ユーザーによって取り扱われた商品の商品取扱情報及び該商品を取り扱った登録ユーザーの前記携帯端末で取得されたユーザー識別情報の入力を受け付ける店舗側端末とを備え、前記管理者側サーバーは、前記店舗側端末で入力された商品取扱情報及びユーザー識別情報を取得し、前記ユーザー識別情報に基づいて前記登録ユーザーのユーザー情報に対応付けて前記商品取扱情報を管理することを顧客情報管理システムの最も主な特徴とする。
【発明の効果】
【００１２】
本発明の顧客情報管理システムによれば、商品関連サービスを通じたオンラインでの情報と同様に、店舗でのユーザーによるオフラインでの商品取扱情報を商品関連サービスのためのユーザー情報に対応付けて管理することができ、オフラインでの商品取扱情報をオンラインでの情報と合わせて管理することが可能となる。
【図面の簡単な説明】
【００１３】
【図１】顧客情報管理システムの概略構成を示すブロック図である（実施例）。
【図２】図１の顧客情報管理システムの各部の具体構成を示すブロック図である（実施例）。
【図３】管理者側サーバーの商品関連サービスによる趣向性情報の管理処理を示すフローチャートである（実施例）。
【図４】店舗への登録ユーザーの来店管理処理を示すフローチャートである（実施例）。
【図５】店舗で販売された商品の商品取扱情報の管理処理を示すフローチャートである（実施例）。
【図６】登録ユーザーの嗜好分析処理を示すフローチャートである（実施例）。
【図７】嗜好情報の一例を示す図表である（実施例）。
【発明を実施するための形態】
【００１４】
店舗での商品の購入等のようなユーザーによるオフラインでの商品の商品取扱情報をオンラインでの情報と合わせて管理するという目的を、登録ユーザーにネットワークを通じて提供される商品関連サービスのユーザー情報を用い、店舗での商品の取扱者を特定し、特定された取扱者のオフラインでの商品取扱情報を商品関連サービスのユーザー情報に対応付けて管理する顧客情報管理システムによって実現した。
【００１５】
具体的には、登録ユーザーの携帯端末で、商品関連サービスを提供する管理者側サーバーからユーザー情報に基づくユーザー識別情報を取得する。販売者の店舗においては、登録ユーザーによって取り扱われた商品の商品取扱情報及び該商品を取り扱った登録ユーザーの携帯端末で取得されたユーザー識別情報を店舗側端末で入力する。管理者側サーバーは、店舗側端末で入力されたユーザー識別情報及び商品取扱情報を取得して、特定される登録ユーザーのユーザー情報に対応付けて商品取扱情報を管理する。
【００１６】
以下、本発明の一実施例について図面を参照して説明する。
【実施例】
【００１７】
［顧客情報管理システムの構成］
図１は、本発明の一実施例に係る顧客情報管理システムの概略構成を示すブロック図である。
【００１８】
図１の顧客情報管理システム１は、携帯端末１０、管理者側サーバー２０、店舗側端末３０、販売者側サーバー４０がインターネット等のネットワーク３により接続されている。なお、図１では、携帯端末１０を１台のみ示しているが、実際には、複数のユーザーがそれぞれ所持する複数台の携帯端末１０が含まれている。
【００１９】
管理者側サーバー２０は、情報処理装置で構成され、商品を販売する複数の販売者からの情報に基づいて、ウェブサイト上で種々の商品関連サービスを提供するものである。
【００２０】
本実施例の商品関連サービスは、利用登録された登録ユーザーに提供され、そのために管理者側サーバー２０は、登録ユーザーのユーザー情報を管理している。以下においては、管理者側サーバー２０で管理されるユーザー情報を、「管理者側ユーザー情報」と称する。ただし、商品関連サービスは、利用登録をしていないユーザーに対しても提供することが可能である。
【００２１】
商品関連サービスとしては、例えば、複数の販売者の商品を利用登録された登録ユーザーに販売可能とするオンラインショッピング（電子商店街）の他、これに付随する付随サービス等も含まれる。
【００２２】
付随サービスは、例えば、洋服、靴、バックのような衣類や装身具等を含む被服（商品）の商品情報を登録ユーザーに提供し、複数の商品の比較や組み合わせによるコーディネート等を可能とするものがある。
【００２３】
携帯端末１０は、いわゆるスマートフォン等の携帯型の通信端末機器である。携帯端末１０は、アプリケーションソフトウェア（以下、単に「アプリケーション」と称する）をダウンロードして起動することにより、管理者側サーバー２０の商品関連サービスを利用することが可能となる。
【００２４】
なお、アプリケーションのダウンロードは、管理者側サーバー２０やその他のダウンロードサイトを通じて行うことができる。図１の例では、店舗５内で登録ユーザーが携帯端末１０を所持している場合について記載しているが、商品関連サービスは、店舗５内外を問わずに、携帯端末１０を介して利用することができる。
【００２５】
本実施例では、商品関連サービスが利用登録された登録ユーザーに対して提供されるので、商品関連サービスを利用するには利用登録が要求される。利用登録の際には、携帯端末１０で起動したアプリケーション上において、ユーザーの住所、氏名、ユーザーＩＤ、パスワード等の個人情報を入力する。これが管理者側サーバー２０に送信され、管理者側ユーザー情報として登録されて利用登録が完了する。
【００２６】
なお、商品関連サービスの利用は、携帯端末１０の他、パーソナルコンピューター等の情報処理装置によっても行うことができる。同様に、利用登録も、携帯端末１０以外の情報処理装置を通じて行うことが可能である。
【００２７】
本実施例の携帯端末１０は、販売者の実際の店舗（実店舗）５へ来店した登録ユーザーが、管理者側サーバー２０から管理者側ユーザー情報に基づくユーザー識別情報を取得可能となっている。なお、携帯端末１０で取得するユーザー識別情報は、管理者側サーバー２０に登録されているユーザーの住所、氏名、ユーザーＩＤ等の個人情報である。ただし、ユーザーの氏名やユーザーＩＤのみとすることも可能である。
【００２８】
取得したユーザー識別情報は、携帯端末１０上で一次元や二次元のバーコード、その他の光学的に読取可能なコードとして表示される。なお、ユーザー識別情報は、音響や電波等の読取可能な無線コードとして発信してもよい。
【００２９】
店舗側端末３０は、情報処理装置を利用したレジスターであり、販売者の店舗５において、販売された商品の情報である販売商品情報及びその商品を購入した登録ユーザーの携帯端末１０で取得されたユーザー識別情報の入力を受け付ける。
【００３０】
販売商品情報は、店舗５でのユーザーによる商品の購入に基づく商品取扱情報である。なお、商品取扱情報は、店舗５内のユーザーが商品の位置を移動させるようにして取り扱ったことの情報であり、販売商品情報に限られるものではない。例えば、商品が被服等である場合には、商品の試着や手に取る等の確認行為を示す商品確認情報を、販売商品情報に代えて或いは販売商品情報と共に商品取扱情報に含めることができる。
【００３１】
本実施例の店舗側端末３０には、販売商品情報及びユーザー識別情報を入力するために、無線タグリーダー７０及びコードリーダー６０が接続されている。
【００３２】
無線タグリーダー７０は、商品に付されている無線タグ（ＲＦＩＤタグ）８０から商品情報を読み取る。無線タグ８０の商品情報は、商品の属性や価格等であり、商品の属性は、例えば商品が被服である場合、ブランド名、商品種別、サイズ、色等である。
【００３３】
また、無線タグリーダー７０は、無線タグ８０の位置情報を取得することができ、上述のように商品取扱情報が商品確認情報を含む場合は、無線タグリーダー７０が商品の位置情報の変化を含む商品情報を商品確認情報として取得する。
【００３４】
また、無線タグリーダー７０は、ＰＯＳ（Ｐｏｉｎｔ ｏｆ Ｓａｌｅｓ）システムを利用したものであり、読み取った商品情報を時刻と共に販売商品情報として店舗側端末３０に入力する。このため、販売商品情報は、販売された商品情報、商品の販売時刻、販売店舗を特定することができる。
【００３５】
なお、店舗側端末３０では、無線タグリーダー７０に代えて、商品情報を手入力する構成や光学的なコードリーダーによって読み取る構成とすることもできる。
【００３６】
コードリーダー６０は、携帯端末１０でのコードを読み取って店舗側端末３０に入力する。コードリーダー６０は、コードの形態に応じたものであり、本実施例では、光学的にコードを読み取るものとなっている。
【００３７】
ただし、上述のように商品取扱情報が商品確認情報を含む場合は、コードリーダー６０が無線により、コードを読み取る必要がある。この場合は、例えば、携帯端末１０が位置情報を含む無線コードを発信し、これをコードリーダー６０が無線で読み取ればよい。
【００３８】
本実施例の店舗側端末３０は、無線タグリーダー７０やコードリーダー６０を用いて商品取扱情報である販売商品情報及びユーザー識別情報の入力を受け付け、受け付けた販売商品情報及びユーザー識別情報を管理者側サーバー２０に対して送信する。
【００３９】
これにより、管理者側サーバー２０では、店舗側端末３０から送信された販売商品情報及びユーザー識別情報を取得し、ユーザー識別情報に基づいて店舗５で販売された商品の購入者（取扱者）を特定し、購入者に対する商品取扱情報としての販売商品情報を管理することが可能になる。
【００４０】
商品取扱情報が商品確認情報を含む場合は、店舗５でユーザーが商品の確認行為を行うたびに、対応する商品の商品確認情報及び携帯端末１０の位置情報を含むユーザー識別情報が店舗側端末３０から送信されて、これを管理者側サーバー２０が取得する。これに応じ、管理者側サーバー２０では、商品の確認行為者（取扱者）を特定し、確認行為者に対する商品取扱情報としての商品確認情報を管理する。
【００４１】
従って、本実施例の顧客情報管理システム１は、商品関連サービスのための登録ユーザーの管理者側ユーザー情報を利用し、販売者が管理する店舗５での商品の購入者や確認行為者を特定して、商品取扱情報としての販売商品情報や商品確認情報を管理者側サーバー２０で元々管理が予定されているオンラインでの情報と結合して管理できるようになる。
【００４２】
なお、図１では、単一の販売者が管理する単一の店舗５のみを示しているが、実際は、複数の販売者が管理する複数の店舗が含まれる。同一の販売者の一又は複数の店舗５に対しては、販売者側サーバー４０を設置することができる。
【００４３】
販売者側サーバー４０は、情報処理装置であり、本実施例において店舗側端末３０と共にＰＯＳシステムを構築するものである。すなわち、店舗側端末３０は、販売商品情報を管理者側サーバー２０とは別に販売者側サーバー４０に送信し、販売者側サーバー４０は、受信した販売商品情報に基づいて店舗５の商品の在庫等を管理する。
【００４４】
販売者側サーバー４０は、店舗側端末３０から販売商品情報と共にユーザー識別情報を受信して、ユーザーに対する販売商品情報を管理することも可能である。
【００４５】
また、本実施例の販売者側サーバー４０は、管理者側サーバー２０が管理する情報から、販売者が利用可能な情報の提供を受け付け、受け付けた情報を管理する。
【００４６】
以下、顧客情報管理システム１の各部の具体構成について、図２を参照して主に商品取扱情報としての販売商品情報を管理する場合を例に説明する。なお、商品取扱情報が商品確認情報を含む場合も、基本的に商品取扱情報が販売商品情報を含む場合と同様である。
【００４７】
携帯端末１０は、ネットワークインターフェイス１１、操作表示パネル１２、記憶部１４、制御部１５等を備えている。
【００４８】
ネットワークインターフェイス１１は、管理者側サーバー２０及び店舗側端末３０を含む外部装置との間で、ネットワーク３を介したデータの送受信を行うインターフェイスである。
【００４９】
操作表示パネル１２は、携帯端末１０に対する各種入力操作の受付及びその入力結果の表示等を行うもので、例えばタッチパネル式の液晶表示画面等を備えている。
【００５０】
制御部１５は、ＣＰＵ（Ｃｅｎｔｒａｌ  ｐｒｏｃｅｓｓｉｎｇ  Ｕｎｉｔ）等の演算装置を含み、プログラムを実行することで各種の処理や制御を行う。
【００５１】
記憶部１４は、プログラムを記憶するＲＯＭ（Ｒｅａｄ  Ｏｎｌｙ  Ｍｅｍｏｒｙ）、作業領域としてのＲＡＭ（Ｒａｎｄｏｍ  Ａｃｃｅｓｓ  Ｍｅｍｏｒｙ）、補助記憶装置としてのＨＤＤ（Ｈａｒｄ  Ｄｉｓｋ  Ｄｒｉｖｅ）等を有する。本実施例の記憶部１４は、商品関連サービスのためのアプリケーションを記憶している。
【００５２】
このアプリケーションを制御部１５で実行することにより、制御部１５がサービス制御部１５０、識別情報取得部１５１、コード生成部１５２として動作する。
【００５３】
サービス制御部１５０は、サービス制御機能を実現し、操作表示パネル１２上にブラウザー及びアプリケーションを表示して、携帯端末１０上で各種情報の送受信を通じた商品関連サービスの利用を可能とする。
【００５４】
識別情報取得部１５１は、識別情報取得機能を実現し、ユーザーによるブラウザー及びアプリケーション上での操作等を受け付けて、管理者側サーバー２０にユーザー識別情報の取得要求を送信する。また、識別情報取得部１５１は、送信した取得要求に応じて、管理者側サーバー２０からのユーザー識別情報を受信して取得する。
【００５５】
コード生成部１５２は、コード生成機能を実現し、識別情報取得部１５１が取得したユーザー識別情報に対応するコードを生成する。本実施例のコード生成部１５２は、例えば、二次元バーコードを生成して、操作表示パネル１２上に表示する。ただし、商品取扱情報が商品確認情報を含む場合は、上述のように、コード生成部１５２が位置情報を含む無線コードを生成して発信する。携帯端末１０の位置情報は、ＧＰＳ（Ｇｌｏｂａｌ Ｐｏｓｉｔｉｏｎｉｎｇ Ｓｙｓｔｅｍ）の他、ＷｉＦｉや音響による通信等を利用することで取得可能である。
【００５６】
管理者側サーバー２０は、ネットワークインターフェイス２１、記憶部２４、制御部２５等を備えている。
【００５７】
ネットワークインターフェイス２１は、携帯端末１０、店舗側端末３０、及び販売者側サーバー４０を含む外部装置との間で、ネットワーク３を介したデータの送受信を行うインターフェイスである。
【００５８】
制御部２５は、ＣＰＵ等の演算装置を含み、プログラムを実行することで各種の処理や制御を行い、記憶部２４は、プログラムを記憶するＲＯＭ、作業領域としてのＲＡＭ、補助記憶装置としてのＨＤＤ等を有する。
【００５９】
本実施例の管理者側サーバー２０は、制御部２５が記憶部２４内のプログラムを実行することにより、アプリケーションサーバー、店舗用サーバー、データ分析サーバーとしての機能を有する。ただし、アプリケーションサーバー、店舗用サーバー、及びデータ分析サーバーは、それぞれ独立した装置として構成することも可能である。
【００６０】
具体的には、制御部２５が、サービス制御部２５０、識別情報送信部２５１、商品取扱情報管理部である販売商品情報管理部２５２、情報提供部２５３、来店情報管理部２５４、商品情報送信部２５５、嗜好分析部２５６として動作する。
【００６１】
サービス制御部２５０は、サービス制御機能を実現し、登録ユーザーの携帯端末１０に対し、管理者側ユ−ザー情報に基づいて各種情報の送受信を通じた商品関連サービスの提供を行う。
【００６２】
また、サービス制御部２５０は、登録ユーザーの管理者側ユーザー情報を管理する。本実施例では、商品関連サービスを通じて取得した登録ユーザーの趣向性情報を管理者側ユーザー情報に追加する。趣向性情報は、例えば、オンラインショッピングで登録ユーザーが購入した商品や購入候補としている商品の商品情報等である。ただし、趣向性情報には、商品関連サービスへの利用登録時等に、登録ユーザーが登録した他の趣向性に関する情報を含めることも可能である。このオンラインでの趣向性情報に対し、商品取扱情報である販売商品情報は、店舗５で登録ユーザーが購入した商品の商品情報であるので、オフラインの趣向性情報といえる。なお、商品取扱情報である商品確認情報も、同様にオフラインの趣向性情報といえる。
【００６３】
識別情報送信部２５１は、識別情報送信機能を実現し、商品管理サービスの登録ユーザー（携帯端末１０）からの要求に応じて、その登録ユーザーの管理者側ユーザー情報に基づくユーザー識別情報を送信する。
【００６４】
販売商品情報管理部２５２は、商品取扱情報管理機能又は販売商品情報管理機能を実現し、店舗側端末３０から送信された商品取扱情報としての販売商品情報及びユーザー識別情報を受信し、ユーザー識別情報に基づいて店舗５で販売された商品の購入者を特定する。そして、販売商品情報管理部２５２は、特定された購入者である登録ユーザーに対応付けて販売商品情報を管理する。
【００６５】
具体的には、ユーザー識別情報に基づき、管理者側サーバー２０で管理するユーザー情報に販売商品情報を追加して記憶部２４内に記憶する。
【００６６】
情報提供部２５３は、情報提供機能を実現し、販売者が利用可能な管理者側ユーザー情報や後述の嗜好情報を、販売者側サーバー４０に送信して提供する。この提供は、事前に設定された条件や販売者側サーバー４０からの要求に基づいて行われる。提供される情報は、特に限定されるものではないが、管理者側サーバー２０で管理する管理者側ユーザー情報や嗜好性情報の全部又は一部、或いはそれらをレポート形式にしたレポート情報等とすることができる。
【００６７】
来店情報管理部２５４は、来店情報管理機能を実現し、登録ユーザーが店舗５へ来店した来店情報を、店舗側端末３０から受信して記憶部２４内の管理者側ユーザー情報に追加する。これにより、管理者側サーバー２０では、店舗５への登録ユーザーの来店及びその履歴を管理することが可能となる。
【００６８】
来店情報管理部２５４は、本実施例において、販売商品情報管理部２５２及び情報提供部２５３と共に店舗用サーバーとしての機能を担う。
【００６９】
商品情報送信部２５５は、商品情報送信機能を実現し、商品関連サービスとして登録ユーザーに商品に関する情報を送信し、又は来店している登録ユーザーに店舗５を管理する販売者の商品に関する情報等を送信する。この商品に関する情報の送信は、登録ユーザーの嗜好情報に基づいて行うことができる。
【００７０】
商品情報送信部２５５は、本実施例において、サービス制御部２５０及び識別情報送信部２５１と共にアプリケーションサーバーとしての機能を担う。
【００７１】
嗜好分析部２５６は、嗜好分析機能を実現し、記憶部２４に記憶される管理者側ユーザー情報の趣向性情報及び商品取扱情報である販売商品情報に基づいて、登録ユーザーの実際の嗜好を分析する。
【００７２】
趣向性情報や販売商品情報は、登録ユーザーの嗜好に基づく商品に関連する情報であり、嗜好分析部２５６は、それら情報に現れている登録ユーザーの嗜好を分析する。分析された嗜好情報は、管理者側ユーザー情報に関連付けて記憶部２４内に記憶される（図７参照）。
【００７３】
嗜好分析部２５６は、本実施例においてデータ分析サーバーとしての機能を担う。
【００７４】
店舗側端末３０は、ネットワークインターフェイス３１、外部インターフェイス３２、操作表示パネル３３、記憶部３４、制御部３５等を備えている。
【００７５】
ネットワークインターフェイス３１は、携帯端末１０、管理者側サーバー２０、及び販売者側サーバー４０を含む外部装置との間で、ネットワーク３を介したデータの送受信を行うインターフェイスである。
【００７６】
外部インターフェイス３２は、無線タグリーダー７０及びコードリーダー６０との間でデータの送受信を行うインターフェイスである。
【００７７】
操作表示パネル３３は、店舗側端末３０に対する各種入力操作の受付及びその入力結果の表示等を行うもので、例えばタッチパネル式の液晶表示画面等を備えている。
【００７８】
制御部３５は、ＣＰＵ等の演算装置を含み、プログラムを実行することで各種の処理や制御を行う。
【００７９】
記憶部３４は、プログラムを記憶するＲＯＭ、作業領域としてのＲＡＭ、補助記憶装置としてのＨＤＤ等を有する。
【００８０】
本実施例の店舗側端末３０は、制御部３５が記憶部３４内のプログラムを実行することにより、取扱時情報受付部である販売時情報受付部３５１、取扱時情報送信部である販売時情報送信部３５２、来店検出部３５３、来店情報送信部３５４として動作する。
【００８１】
販売時情報受付部３５１は、取扱時情報受付機能又は販売時情報受付機能を実現し、店舗５内で販売された商品の商品取扱情報である販売商品情報と共に、携帯端末１０で取得されたユーザー識別情報の入力を受け付ける。本実施例では、無線タグリーダー７０から販売商品情報が入力され、コードリーダー６０からユーザー識別情報が入力される。
【００８２】
商品取扱情報が商品確認情報を含む場合は、店舗５でユーザーが商品の確認行為を行うたびに商品の位置情報が変化するので、それに応じて販売時情報受付部３５１が商品の商品確認情報と共にユーザー識別情報を取得する。
【００８３】
このユーザー識別情報の取得時には、例えば、店舗５内の携帯端末１０から位置情報を取得し、取得された携帯端末１０の位置情報から商品と座標が同一又は最も近接する携帯端末１０からユーザー識別情報を商品確認情報に関連付けて取得すればよい。
【００８４】
販売時情報送信部３５２は、取扱時情報送信機能又は販売時情報送信機能を実現し、販売時情報受付部３５１が受け付けた商品取扱情報である販売商品情報及びユーザー識別情報を管理者側サーバー２０に送信する。
【００８５】
一方で、販売時情報送信部３５２は、ＰＯＳシステムとして販売商品情報を販売者側サーバー４０にも送信する。このとき、販売時情報送信部３５２は、ユーザー識別情報も併せて販売者側サーバー４０に送信することも可能である。
【００８６】
来店検出部３５３は、来店検出機能を実現し、携帯端末１０の位置情報に基づいて登録ユーザーの来店を検出する。このときの位置情報の取得は、来店した登録ユーザーの携帯端末１０を店舗５側の無線ネットワーク等に接続させることで実現できる。
【００８７】
例えば、携帯端末１０が店舗５内でのみ有効な無線ネットワークに接続されれば、携帯端末１０を所持する登録ユーザーが店舗５内にいることの位置情報が得られる。このときの登録ユーザーの特定は、携帯端末１０からユーザー識別情報を送信することで実現できる。その他、携帯端末１０からＧＰＳ、ＷｉＦｉ、音響による通信等による位置情報を取得してもよい。
【００８８】
来店情報送信部３５４は、来店情報送信機能を実現し、来店検出部３５３で検出した登録ユーザーの来店情報を管理者側サーバー２０に送信する。
【００８９】
販売店側サーバー４０は、管理者側サーバー２０と同様に、ネットワークインターフェイス４１、記憶部４４、制御部４５等を備えている。
【００９０】
ネットワークインターフェイス４１は、管理者側サーバー２０及び店舗側端末３０を含む外部装置との間で、ネットワーク３を介したデータの送受信を行うインターフェイスである。
【００９１】
制御部４５は、ＣＰＵ等の演算装置を含み、プログラムを実行することで各種の処理や制御を行い、記憶部４４は、プログラムを記憶するＲＯＭ、作業領域としてのＲＡＭ、補助記憶装置としてのＨＤＤ等を有する。
【００９２】
本実施例の販売者側サーバー４０は、制御部４５が記憶部４４内のプログラムを実行することにより、商品取扱情報管理部である販売商品情報管理部４５１、商品情報送信部４５２、来店管理処理部４５３として動作する。
【００９３】
販売商品情報管理部４５１は、商品取扱情報管理機能又は販売商品情報管理機能を実現し、ＰＯＳシステムにより店舗側端末３０から送信された販売商品情報を受信し、店舗５内の商品の管理を行う。このとき、ユーザー識別情報も併せて受信した場合には、販売商品情報をユーザー識別情報に関連付けて記憶部４４内に記憶して管理することができる。
【００９４】
また、販売商品情報管理部４５１は、管理者側サーバー２０から管理者側ユーザー情報並びに嗜好情報を受信した場合に、それらの情報を記憶部４４内に記憶して管理する。
【００９５】
このとき、管理者側ユーザー情報並びに嗜好情報は、事前にＰＯＳシステムにより受信した販売商品情報に結合することも可能である。結合の際は、ＰＯＳシステムによりユーザー識別情報も受信している場合に、ユーザー識別情報をキーにして行うことができる。なお、販売者側サーバー４０で管理するユーザー情報は、以下、「販売者側ユーザー情報」と称する。
【００９６】
商品情報送信部４５２は、商品情報送信機能を実現し、店舗５へ来店している登録ユーザーに販売者の商品に関する情報を送信する。
【００９７】
来店管理処理部４５３は、来店管理処理機能を実現し、店舗側端末３０からの来店情報を取得して、記憶部４４内の販売者側ユーザー情報に追加して登録ユーザーの来店やその履歴を管理する。
【００９８】
来店履歴の管理は、来店情報を含む管理者側ユーザー情報を管理者側サーバー２０から販売者側サーバー４０に提供することで実現できる。その他、管理者側サーバー２０や店舗側端末３０から登録ユーザーの来店情報を、販売者側サーバー４０に送信することでも、来店の通知を行うことができる。
［商品関連サービスによる趣向性情報の管理処理］
図３は、管理者側サーバーの商品関連サービスによる趣向性情報の管理処理を示すフローチャートである。
【００９９】
図３の趣向性情報の管理処理は、商品関連サービスの登録ユーザーへの提供を通じて行われ、携帯端末１０でのアプリケーションの起動により開始される。
【０１００】
まずステップＳ１では、「初期画面の表示」を行う。この処理では、携帯端末１０のサービス制御部１５０が、操作表示パネル１２上にブラウザー及びアプリケーションを表示し、ブラウザー及びアプリケーションを通じて商品関連サービスの初期画面を表示する。
【０１０１】
初期画面の表示の際は、携帯端末１０のサービス制御部１５０が、管理者側サーバー２０に初期画面の要求（リクエスト）を送信し、その応答（レスポンス）を受信する。
【０１０２】
こうしてステップＳ１が完了すると、ステップＳ２に移行する。
【０１０３】
ステップＳ２では、「情報の送受信操作有り？」の処理が行われる。この処理では、携帯端末１０のサービス制御部１５０が、登録ユーザーによって管理者側サーバー２０に対する情報の送受信を要求する操作入力（送受信操作）が行われたか否かを監視する。
【０１０４】
送受信操作としては、例えば、オンラインショッピングの場合に、商品の検索、検索された商品の詳細表示、商品の購入や購入候補への登録等である。また、商品が被服である場合は、複数の商品の比較やコーディネート等も送受信操作となる。
【０１０５】
情報の送受信操作がない場合は、ステップＳ２の処理を繰り返し（ＮＯ）、送受信操作があった場合は、ステップＳ３へ移行する（ＹＥＳ）。
【０１０６】
ステップＳ３では、「送受信操作の送信」が行われる。この処理では、携帯端末１０のサービス制御部１５０が、ステップＳ２で受け付けられた送受信操作を管理者側サーバー２０へ送信し、ステップＳ４へ移行する。
【０１０７】
ステップＳ４では、「送受信操作が趣向性情報に関連する？」が行われる。この処理では、管理者側サーバー２０のサービス制御部２５０が、携帯端末１０からの送受信操作を受信し、その内容が趣向性情報の送受信に関するものであるか否かを判断する。
【０１０８】
具体的には、上述の商品の購入や購入候補への登録、複数の商品の比較や被服のコーディネート等のように、送受信操作がユーザーの趣向性に影響するものであるか否かを判断する。
【０１０９】
送受信操作が趣向性情報に関連する場合は、ステップＳ５へ移行し（ＹＥＳ）、関連しない場合は、ステップＳ６へ移行する（ＮＯ）。
【０１１０】
ステップＳ５では、「趣向性情報の蓄積」が行われる。この処理では、管理者側サーバー２０のサービス制御部２５０が、送受信操作に関連する趣向性情報を記憶部２４内のユーザー情報に追加する。これにより、登録ユーザーのオンラインでの趣向性情報を取得することができる。
【０１１１】
追加される趣向性情報は、例えば、上述の購入された商品や購入候補へ登録された商品或いは相互に比較され又はコーディネートされた複数の商品に関連する商品情報等である。ここでの商品情報は、店舗５の無線タグ８０と同様の商品の価格及び属性であるが、商品の属性には、販売者名等も含まれる。送受信操作が商品の購入の場合は、商品の価格等に応じたポイント等を付与することもできる。
【０１１２】
こうしてステップＳ５が完了すると、ステップＳ６へ移行する。
【０１１３】
ステップＳ６では、「送受信操作に対する応答」が行われる。すなわち、管理者側サーバー２０のサービス制御部２５０は、ステップＳ４で受信した送受信操作に応じて応答（レスポンス）を行う。これにより、携帯端末１０では、操作表示パネル１２のブラウザー及びアプリケーション上で、商品関連サービスの画面を表示することができる。
【０１１４】
このように、商品関連サービスによる趣向性情報の管理処理では、商品関連サービスの提供を通じて、登録ユーザーの趣向性情報を取得して管理することができる。
【０１１５】
趣向性情報がユーザー情報に追加された後は、管理者側サーバー２０の情報提供部２５３が、事前に設定された条件や販売者側サーバー４０からの要求等に応じて、記憶部２４内の趣向性情報（管理者側ユーザー情報）を販売者側サーバー４０に送信する。
【０１１６】
事前に設定された条件としては、情報の送信タイミング、情報の範囲、情報の形態等である。送信タイミングは、所定の周期毎又は趣向性情報が管理者側ユーザー情報に追加されたとき等とすることができる。情報の範囲は、管理者側ユーザー情報の一部又は全部等である。情報の形態は、管理者側ユーザー情報の記憶されている形態やそれらをレポート形式とした形態等である。
【０１１７】
販売者側サーバー４０では、販売商品情報管理部４５１が受信した管理者側ユーザー情報を記憶部４４内に記憶する。これにより、商品関連サービスを通じて取得されるオンラインの趣向性情報を販売者側サーバー４０でも管理可能となる。
［来店管理処理］
図４は、店舗への登録ユーザーの来店管理処理を示すフローチャートである。
【０１１８】
図４の来店管理処理は、携帯端末１０を所持する登録ユーザーが販売者の店舗５に来店し、携帯端末１０上でアプリケーションが起動されることで開始される。
【０１１９】
ステップＳ２１では、「ユーザー識別情報の取得」が行われる。すなわち、携帯端末１０の識別情報取得部１５１は、管理者側サーバー２０へユーザー識別情報の取得要求を行い、これに応じてユーザー識別情報を受信して取得する。識別情報の取得要求は、アプリケーションの起動時に自動的に、或いは起動したアプリケーション上で手動で行うことができる。
【０１２０】
こうしてステップＳ２１が完了すると、ステップＳ２２へ移行する。
【０１２１】
ステップＳ２２では、「ユーザーの来店検出」が行われる。この処理では、店舗側端末３０の来店検出部３５３が、携帯端末１０の位置情報に基づいて登録ユーザーの来店を検出する。
【０１２２】
来店の検出は、上述のように、携帯端末１０が店舗５内の無線ネットワークに接続され、その携帯端末１０から送信されたユーザー識別情報を来店検出部３５３が受信すること等で行うことができる。
【０１２３】
こうしてステップＳ２２が完了すると、ステップＳ２３に移行する。
【０１２４】
ステップＳ２３では、「管理者側サーバーへの来店情報の登録」が行われる。ここでは、まず、店舗側端末３０の来店情報送信部３５４が、ステップＳ２２で検出された登録ユーザーの来店情報を管理者側サーバー２０に送信する。来店情報には、ユーザーの識別情報、来店時間、店舗名、販売者名等が含まれる。
【０１２５】
管理者側サーバー２０では、来店情報管理部２５４が受信した来店情報を、記憶部２４内の管理者側ユーザー情報に追加して来店履歴を管理する。
【０１２６】
こうしてステップＳ２３が完了すると、ステップＳ２４に移行する。
【０１２７】
ステップＳ２４では、「販売者側サーバーへの来店情報の提供」が行われる。ここでは、まず、管理者側サーバー２０の情報提供部２５３が、記憶部２４内の来店情報を販売者側サーバー４０に送信する。来店情報の送信においては、上述のとおり、来店情報を含む管理者側ユーザー情報とが送信され、或いは来店情報そのものが送信される。
【０１２８】
販売者側サーバー４０では、管理者側サーバー２０から受信した来店情報を、来店管理処理部４５３が記憶部４４の販売者側ユーザー情報に追加する。
【０１２９】
このように、本実施例の来店管理処理では、販売者側サーバー４０及び管理者側サーバー２０において、登録ユーザーの店舗５への来店を管理することができる。
【０１３０】
このため、管理者側サーバー２０や販売者側サーバー４０では、商品情報送信部２５５及び４５２が、来店している登録ユーザーに店舗５の商品に関する情報を提供して、商品の販売促進を図ることができる。例えば、商品自体の紹介、割引クーポンやポイントの付与、キャンペーン情報の提供等を来店している登録ユーザーに行うことができる。
[販売商品情報の管理処理]
図５は、店舗で販売された商品の販売商品情報の管理処理を示すフローチャートである。図５の販売商品の管理処理は、店舗５での登録ユーザーへの商品の販売時に行われる。
【０１３１】
まず、ステップＳ３１では、「コード生成」が行われる。この処理では、携帯端末１０のコード生成部１５２が、図４のステップＳ２１で取得したユーザー識別情報から二次元バーコード等のコードを生成する。生成されたコードは、携帯端末１０の操作表示パネル１２上に表示される。
【０１３２】
こうしてステップＳ３１が完了すると、ステップＳ３２へ移行する。
【０１３３】
ステップＳ３２では、「ユーザー識別情報の入力」が行われる。ここでは、まず、店舗５の従業者が、コードリーダー６０により携帯端末１０上のコードを読み取る。これに応じ、店舗側端末３０の販売時情報受付部３５１は、読み取られたコードに対応するユーザー識別情報が入力される。
【０１３４】
こうしてステップＳ３２が完了すると、ステップＳ３３へ移行する。
【０１３５】
ステップＳ３３では、「販売商品情報の入力」が行われる。ここでは、まず、店舗５の従業者が、登録ユーザーに販売された商品の無線タグ８０から無線タグリーダー７０で商品情報を読み取らせる。これにより、店舗側端末３０の販売時情報受付部３５１は、無線タグ８０内の商品情報の入力を受け付ける。
【０１３６】
こうしてステップＳ３３が完了すると、ステップＳ３４に移行する。なお、ステップＳ３２及びＳ３３は、順序が逆であってもよい。
【０１３７】
ステップＳ３４では、「販売商品情報の管理者側サーバーへの登録」が行われる。ここでは、まず、店舗側端末３０の販売時情報送信部３５２が、ステップＳ３２で入力されたユーザー識別情報と共にステップＳ３３で入力された販売商品情報を管理者側サーバー２０に送信する。
【０１３８】
管理者側サーバー２０では、受信したユーザー識別情報に基づいて購入者である登録ユーザを特定し、特定された登録ユーザーの管理者側ユーザー情報に追加して販売商品情報を記憶部２４内に記憶する。従って、管理者側サーバー２０では、オフラインの趣向性情報である販売商品情報を、商品関連サービスを通じて取得されたオンラインの趣向性情報に結合して管理することができる。
【０１３９】
こうしてステップＳ３４が完了すると、ステップＳ３５に移行する。
【０１４０】
ステップＳ３５では、「販売商品情報の販売者側サーバーへの提供」が行われる。ここでは、まず、管理者側サーバー２０の情報提供部２５３が、記憶部２４内に記憶された管理者側ユーザー情報を販売者側サーバー４０に送信する。この送信は、上述のとおり、事前に設定された条件や販売者側サーバー４０からの要求等に応じて行われる。
【０１４１】
販売者側サーバー４０では、販売商品情報管理部４５１が受信したユーザー情報を販売者側ユーザー情報として記憶部４４内に記憶する。
【０１４２】
従って、販売者側サーバー４０でも、オンライン及びオフラインの趣向性情報を結合して管理することが可能となる。また、管理者側ユーザー情報には、複数の販売者に対するオンライン及びオフラインの趣向性情報が含まれるので、販売者側サーバー４０では、それを管理する販売者だけでなく、他の販売者にわたるオンライン及びオフラインの趣向性情報の取得することも可能となる。ただし、販売者側サーバー４０を管理する販売者に利用可能なものとして設定されている場合に限られる。
［嗜好分析処理］
図６は、登録ユーザーの嗜好分析処理を示すフローチャートである。図６の嗜好分析処理は、所定周期毎又は販売商品情報が管理者側サーバー２０に記憶された場合等のように、所定のタイミングで開始される。
【０１４３】
嗜好分析処理は、まず、ステップＳ４１において、「趣向性情報及び販売商品情報の取得」が行われる。すなわち、管理者側サーバー２０の嗜好分析部２５６は、記憶部２４内の趣向性情報及び販売商品情報を取得する。
【０１４４】
こうしてステップＳ４１が完了すると、ステップＳ４２へ移行する。
【０１４５】
ステップＳ４２では、「嗜好分析」が行われる。この処理では、管理者側サーバー２０の嗜好分析部２５６が、管理者側ユーザー情報において結合されているオンラインの趣向性情報及びオフラインの趣向性情報である販売商品情報に現れている登録ユーザーの嗜好を抽出する。例えば、登録ユーザーの購入回数によって好みのブランド等を抽出する。
【０１４６】
こうしてステップＳ４２が完了すると、ステップＳ４３へ移行する。
【０１４７】
ステップＳ４３では、「嗜好情報の登録」が行われる。この処理では、管理者側サーバー２０の嗜好分析部２５６が、分析した登録ユーザーの嗜好を嗜好情報として記憶部２４に記憶する。嗜好情報は、上述のように、販売者側サーバー４０に同期される。
【０１４８】
図７に、嗜好情報の一例を示す。嗜好情報では、登録ユーザー毎に、「年齢」、「職業」、「地域」、「好きな雑誌」、「好きなブランド」等が関連付けられている。なお、「地域」は、居住地域等である。
【０１４９】
本実施例の嗜好分析処理は、商品関連サービスを通じたオンラインの趣向性情報及びオフラインの趣向性情報である販売商品情報から、登録ユーザーの嗜好情報を抽出することができる。結果として、販売者側サーバー４０及び管理者側サーバー２０の双方において、登録ユーザーに最適な商品、広告を提案することが可能となる。
【０１５０】
また、販売者や管理者サーバー２０の管理者は、嗜好情報を用いて幅広いマーケティングを行うことができ、新たなサービスへの展開が可能となる。
［実施例の効果］
本実施例は、利用登録された登録ユーザーに対し、商品を販売する販売者からの情報に基づいて商品に関連した商品関連サービスをネットワークを通じて提供すると共に登録ユーザーの管理者側ユーザー情報を管理する管理者側サーバー２０と、管理者側サーバー２０から管理者側ユーザー情報に基づくユーザー識別情報を取得する登録ユーザーの携帯端末１０と、販売者の店舗５において販売によって登録ユーザーに取り扱われた商品の商品取扱情報である販売商品情報及び該商品を購入により取り扱った登録ユーザーの携帯端末１０で取得されたユーザー識別情報の入力を受け付ける店舗側端末３０とを備える。
【０１５１】
管理者側サーバー２０は、店舗側端末３０で入力された商品取扱情報である販売商品情報及びユーザー識別情報を取得し、ユーザー識別情報に基づいて登録ユーザーの管理者側ユーザー情報に対応付けて販売商品情報を管理する。
【０１５２】
従って、本実施例では、商品関連サービスのための管理者側ユーザー情報を利用して店舗５での商品の購入者を特定し、特定された購入者に対してオフラインでの商品取扱情報としての販売商品情報を販売者側サーバー２０で管理することができる。
【０１５３】
すなわち、本実施例では、商品関連サービスを通じたオンラインでの情報と同様に、店舗５での登録ユーザーによるオフラインでの情報を商品関連サービスのための管理者側ユーザー情報に対応付けて管理することができ、オフラインでの商品取扱情報をオンラインでの情報と合わせて管理することが可能となる。
【０１５４】
また、本実施例では、管理者側サーバー２０が、登録ユーザーからの要求に応じてこの登録ユーザーの管理者側ユーザー情報に基づくユーザー識別情報を送信する識別情報送信部２５１を備え、携帯端末１０が、管理者側サーバー２０から送信されたユーザー識別情報を受信して取得する識別情報取得部１５１を備える。
【０１５５】
また、店舗側端末３０は、販売された商品の販売商品情報と共に携帯端末１０で取得されたユーザー識別情報の入力を受け付ける販売時情報受付部３５１と、販売商品情報及びユーザー識別情報を管理者側サーバー２０に送信する販売時情報送信部３５２を備え、管理者側サーバー２０は、店舗側端末３０から送信された販売商品情報及びユーザー識別情報を受信して管理者側ユーザー情報に販売商品情報を対応付けて管理する販売商品情報管理部２５２を備える。
【０１５６】
従って、本実施例では、容易且つ確実にオフラインでの商品取扱情報をオンラインでの情報と合わせて管理することが可能となる。また、結合された情報に基づいて、登録ユーザーに最適な商品や広告を提供して商品の販売促進を図ったり、或いは幅広いマーケティング行うことができ、新たなサービスへの展開も可能となる。さらには、複数の販売者にわたる販売商品情報を取得することにもなり、結合された情報の有用性を向上することができる。。
【０１５７】
また、店舗側端末３０は、携帯端末１０の位置情報に基づいて登録ユーザーの販売者の店舗５への来店を検出する来店検出部３５３と、検出した来店情報を管理者側サーバー２０に送信する来店情報送信部３５４とを備え、管理者側サーバー２０は、店舗側端末３０からの来店情報に基づいて登録ユーザーの来店履歴を管理する来店情報管理部２５４を備える。
【０１５８】
従って、管理者側サーバー２０は、来店している登録ユーザーに対して、商品に関する情報の提供やクーポンの付与等のように、来店に応じた適時サービスを提供することができる。また、来店回数に応じたサービスを登録ユーザーに提供することも可能である。結果として、本実施例では、商品の販売を促進することができる。
【０１５９】
また、本実施例では、販売者の店舗の商品に付されて該商品の商品情報を記憶する無線タグ８０と、店舗側端末３０に備えられ無線タグ８０から商品情報を読み取る無線タグリーダー７０とを備え、店舗側端末３０の販売時情報受付部３５１が、販売された商品の無線タグ８０から無線タグリーダー７０によって読み取られた商品情報を販売商品情報として入力を受け付ける。
【０１６０】
従って、本実施例では、商品取扱情報としての販売商品情報の取得が容易であり、しかも無線タグ８０の豊富な情報記憶容量を活かして詳細な販売商品情報の管理が行える。
【０１６１】
さらに、本実施例では、無線タグ８０の位置情報を取得することが可能であり、その位置情報の変化を通じて、被服等の商品の試着や手に取る等の確認行為を示す商品確認情報を商品取扱情報として取得し管理することが可能となる。
【０１６２】
商品確認情報は、ユーザーが最終的に商品を購入しなかった場合でも少なくとも興味を示したことの趣向性を示すので、その後の商品の販売促進、幅広いマーケティング、新たなサービスへの展開等に有用である。
【０１６３】
また、本実施例では、携帯端末１０が受信したユーザー識別情報に対応するコードを生成するコード生成部１５２を備え、店舗側端末３０が携帯端末１０で生成されたコードを読み取り可能なコードリーダー６０を備える。
【０１６４】
従って、本実施例では、登録ユーザーのユーザ識別情報を容易に取得できる。
【０１６５】
また、本実施例では、管理者側サーバー２０が、ユーザー情報に基づいて登録ユーザーの嗜好を分析する嗜好分析部２５６を備えている。
【０１６６】
従って、本実施例では、オンラインの趣向性情報とオフラインの趣向性情報である販売商品情報とに基づく、販売促進やマーケティング等の確実に行わせることができる。例えば、登録ユーザーに対して嗜好にあった商品の情報を提案すること等が可能となる。
【０１６７】
また、本実施例では、管理者側サーバー２０から商品取扱情報としての販売商品情報を取得して管理する販売者側サーバー４０を備え、管理者側サーバー２０が販売者が利用可能な管理者側ユーザー情報を販売者側サーバー４０に提供する情報提供部２５３を備える。
【０１６８】
従って、本実施例では、販売者側サーバー４０においても、オンライン及びオフラインの情報を結合して管理することが可能となり、登録ユーザーに対する商品の販売促進や幅広いマーケティング、新たなサービスへの展開、或いは登録ユーザーの来店に応じたサービスの提供等が可能となる。さらには、販売者側サーバー４０でも、許される範囲で他の販売者にわたる販売商品情報を取得することも可能であり、情報の有用性を向上することができる。
【符号の説明】
【０１６９】
１      顧客情報管理システム
１０    携帯端末
１５１  識別情報取得部
１５２  コード生成部
２０    管理者側サーバー
２５１  識別情報送信部
２５２  販売商品情報管理部（商品取扱情報管理部）
２５３  情報提供部
２５４  来店情報管理部
２５５  商品情報送信部
２５６  嗜好分析部
３０    店舗側端末
３５１  販売時情報受付部（取扱時情報受付部）
３５２  販売時情報送信部（取扱時情報送信部）
３５３  来店検出部
３５４  来店情報送信部
４０    販売者側サーバー
４５１  販売商品情報管理部（商品取扱情報管理部）
６０    コードリーダー
７０    無線タグリーダー
８０    無線タグ
【図１】
2015148875.tif 000003
【図２】
2015148875.tif 000004
【図３】
2015148875.tif 000005
【図４】
2015148875.tif 000006
【図５】
2015148875.tif 000007
【図６】
2015148875.tif 000008
【図７】
2015148875.tif 000009